(57)【特許請求の範囲】
【請求項１】
二次電池の充電量を算出する充電量算出装置であって、
二次電池の電圧を取得する電圧取得部と、
前記二次電池の電流を取得する電流取得部と、
該電流取得部で取得した電流を積算して前記二次電池の第１充電量を算出する第１算出部と、
前記電圧取得部で取得した電圧、前記電流取得部で取得した電流及び前記二次電池の等価回路モデルに基づいて前記二次電池の第２充電量を算出する第２算出部と、
所定条件を充足するか否かを判定する判定部と
を備え、
前記判定部で前記所定条件を充足しないと判定した場合、前記第１充電量を前記二次電池の充電量とし、
前記判定部で前記所定条件を充足すると判定した場合、前記第２充電量を前記二次電池の充電量とし、
さらに、前記第２算出部で算出した第２充電量を前記二次電池の充電量とした時点で、前記第１算出部で算出した第１充電量及び前記第２充電量の充電量差を算出する充電量差算出部と、
該充電量差算出部で算出した充電量差に基づいて、充電量の単位時間当たりの単位時間誤差量を算出する単位時間誤差量算出部と
を備え、
前記判定部は、
前記第２算出部で算出した第２充電量を前記二次電池の充電量とした時点からの経過時間及び前記単位時間誤差量に基づいて、前記所定条件を充足するか否かを判定する充電量算出装置。
【請求項２】
二次電池の充電量を算出する充電量算出装置であって、
二次電池の電圧を取得する電圧取得部と、
前記二次電池の電流を取得する電流取得部と、
該電流取得部で取得した電流を積算して前記二次電池の第１充電量を算出する第１算出部と、
前記電圧取得部で取得した電圧、前記電流取得部で取得した電流及び前記二次電池の等価回路モデルに基づいて前記二次電池の第２充電量を算出する第２算出部と、
所定条件を充足するか否かを判定する判定部と
を備え、
前記判定部で前記所定条件を充足しないと判定した場合、前記第１充電量を前記二次電池の充電量とし、
前記判定部で前記所定条件を充足すると判定した場合、前記第２充電量を前記二次電池の充電量とし、
さらに、前記第２算出部で算出した第２充電量を前記二次電池の充電量とした時点で、前記第１算出部で算出した第１充電量及び前記第２充電量の充電量差を算出する充電量差算出部と、
該充電量差算出部で算出した充電量差に基づいて、充電量の単位容量当たりの単位容量誤差量を算出する単位容量誤差量算出部と
を備え、
前記判定部は、
前記第２算出部で算出した第２充電量を前記二次電池の充電量とした時点以降の前記二次電池の充放電容量及び前記単位容量誤差量に基づいて、前記所定条件を充足するか否かを判定する充電量算出装置。
【請求項３】
前記判定部は、
前記二次電池の電流を積算する時間が所定の積算時間未満である場合、前記所定条件を充足しないと判定する請求項１又は請求項２に記載の充電量算出装置。
【請求項４】
前記電圧取得部で取得した電圧、前記電流取得部で取得した電流及び前記二次電池の等価回路モデルに基づいて前記二次電池の開放電圧を算出する開放電圧算出部を備え、
前記第２算出部は、
前記開放電圧算出部で算出した開放電圧及び前記二次電池の開放電圧と充電量との対応関係に基づいて、前記二次電池の第２充電量を算出する請求項１から請求項３までのいずれか１項に記載の充電量算出装置。
【請求項５】
前記電流取得部で取得した電流に基づいて前記二次電池の充放電の切り替えの有無を判定する切替判定部を備え、
前記判定部は、
前記二次電池の電流を積算する時間が前記積算時間以上である場合、前記切替判定部で判定した切り替えの有無に応じて、前記所定条件を充足するか否かを判定する請求項３に記載の充電量算出装置。
【請求項６】
前記第２算出部は、
前記切替判定部で充放電の切り替えがあると判定した場合、充放電の切替時点から所定時間経過後に、前記電圧取得部で取得した電圧及び前記電流取得部で取得した電流に基づいて前記二次電池の第２充電量を算出する請求項５に記載の充電量算出装置。
【請求項７】
前記所定時間は、０．１秒から２秒の範囲である請求項６に記載の充電量算出装置。
【請求項８】
コンピュータに、二次電池の充電量を算出させるためのコンピュータプログラムであって、
コンピュータを、
二次電池の電圧を取得する電圧取得部と、
前記二次電池の電流を取得する電流取得部と、
取得した電流を積算して前記二次電池の第１充電量を算出する第１算出部と、
取得した電圧、電流及び前記二次電池の等価回路モデルに基づいて前記二次電池の第２充電量を算出する第２算出部と、
所定条件を充足するか否かを判定する判定部と
して機能させ、
前記所定条件を充足しないと判定した場合、前記第１充電量を前記二次電池の充電量とし、前記所定条件を充足すると判定した場合、前記第２充電量を前記二次電池の充電量として処理し、
さらに、コンピュータを、
算出した第２充電量を前記二次電池の充電量とした時点で、算出した第１充電量及び前記第２充電量の充電量差を算出する充電量差算出部と、
算出した充電量差に基づいて、充電量の単位時間当たりの単位時間誤差量を算出する単位時間誤差量算出部と
して機能させ、
算出した第２充電量を前記二次電池の充電量とした時点からの経過時間及び前記単位時間誤差量に基づいて、前記所定条件を充足するか否かを判定するコンピュータプログラム。
【請求項９】
コンピュータに、二次電池の充電量を算出させるためのコンピュータプログラムであって、
コンピュータを、
二次電池の電圧を取得する電圧取得部と、
前記二次電池の電流を取得する電流取得部と、
取得した電流を積算して前記二次電池の第１充電量を算出する第１算出部と、
取得した電圧、電流及び前記二次電池の等価回路モデルに基づいて前記二次電池の第２充電量を算出する第２算出部と、
所定条件を充足するか否かを判定する判定部と
して機能させ、
前記所定条件を充足しないと判定した場合、前記第１充電量を前記二次電池の充電量とし、前記所定条件を充足すると判定した場合、前記第２充電量を前記二次電池の充電量として処理し、
さらに、コンピュータを、
算出した第２充電量を前記二次電池の充電量とした時点で、算出した第１充電量及び前記第２充電量の充電量差を算出する充電量差算出部と、
算出した充電量差に基づいて、充電量の単位容量当たりの単位容量誤差量を算出する単位容量誤差量算出部と
を備え、
算出した第２充電量を前記二次電池の充電量とした時点以降の前記二次電池の充放電容量及び前記単位容量誤差量に基づいて、前記所定条件を充足するか否かを判定するコンピュータプログラム。
【請求項１０】
二次電池の充電量を算出する充電量算出方法であって、
二次電池の電圧を電圧取得部が取得し、
前記二次電池の電流を電流取得部が取得し、
取得された電流を積算して前記二次電池の第１充電量を第１算出部が算出し、
取得された電圧及び電流並びに前記二次電池の等価回路モデルに基づいて前記二次電池の第２充電量を第２算出部が算出し、
所定条件を充足するか否かを判定部が判定し、
前記所定条件を充足しないと判定された場合、前記第１充電量を前記二次電池の充電量とし、
前記所定条件を充足すると判定された場合、前記第２充電量を前記二次電池の充電量とし、
さらに、
算出された第２充電量を前記二次電池の充電量とした時点で、算出された第１充電量及び前記第２充電量の充電量差を充電量差算出部が算出し、
算出された充電量差に基づいて、充電量の単位時間当たりの単位時間誤差量を単位時間誤差量算出部が算出し、
算出された第２充電量を前記二次電池の充電量とした時点からの経過時間及び前記単位時間誤差量に基づいて、前記所定条件を充足するか否かを判定する充電量算出方法。
【請求項１１】
二次電池の充電量を算出する充電量算出方法であって、
二次電池の電圧を電圧取得部が取得し、
前記二次電池の電流を電流取得部が取得し、
取得された電流を積算して前記二次電池の第１充電量を第１算出部が算出し、
取得された電圧及び電流並びに前記二次電池の等価回路モデルに基づいて前記二次電池の第２充電量を第２算出部が算出し、
所定条件を充足するか否かを判定部が判定し、
前記所定条件を充足しないと判定された場合、前記第１充電量を前記二次電池の充電量とし、
前記所定条件を充足すると判定された場合、前記第２充電量を前記二次電池の充電量とし、
さらに、
算出された第２充電量を前記二次電池の充電量とした時点で、算出された第１充電量及び前記第２充電量の充電量差を充電量差算出部が算出し、
算出された充電量差に基づいて、充電量の単位容量当たりの単位容量誤差量を単位容量誤差量算出部が算出し、
算出された第２充電量を前記二次電池の充電量とした時点以降の前記二次電池の充放電容量及び前記単位容量誤差量に基づいて、前記所定条件を充足するか否かを判定する充電量算出方法。
【発明の詳細な説明】
【技術分野】
【０００１】
本発明は、二次電池の充電量を算出する充電量算出装置、該充電量算出装置を実現するためのコンピュータプログラム及び充電量算出方法に関する。
【背景技術】
【０００２】
近年、ＨＥＶ（Hybrid Electric Vehicle：ハイブリッド自動車）及びＥＶ（Electric Vehicle：電気自動車）等の車両が普及しつつある。ＨＥＶ及びＥＶは二次電池を搭載している。このような車両では、走行に伴って、二次電池の充電と放電の切り替えが繰り返される。そして、車両の走行中の充放電によって二次電池の充電状態が大きく変動するため、二次電池の充電量（ＳＯＣ）を精度よく求める必要がある。
【０００３】
二次電池の充電量を算出する方法として、例えば、二次電池の充放電電流を検出して電流積算値を算出し、算出した電流積算値に基づいて第１の充電量を算出する。そして、無負荷時の二次電池の電圧に基づいて第２の充電量を算出し、第１の充電量と第２の充電量との差が所定値以上となったときに第２の充電量に基づいて第１の充電量を補正する充電量演算方法が開示されている（特許文献１参照）。
【先行技術文献】
【特許文献】
【０００４】
【特許文献１】特開２０００−１５０００３号公報
【発明の概要】
【発明が解決しようとする課題】
【０００５】
特許文献１の方法にあっては、無負荷時の二次電池の電圧を検出する必要がある。無負荷時の二次電池の電圧を検出することができる条件は、例えば、車両を停止し、イグニション（ＩＧ）をオフ状態にするか、あるいは二次電池への充放電を強制的に停止させなければならない。このため、イグニション（ＩＧ）が長時間連続オンの状態では、無負荷時の二次電池の電圧を検出することができない。また、二次電池への充放電を強制的に停止させると、二次電池からの放電によるモータの駆動が得られない場合や、モータからの回生電力を用いて二次電池を充電することができない場合が生じ、エネルギー損失及び回生ブレーキ力損失を招く。
【０００６】
本発明は、斯かる事情に鑑みてなされたものであり、二次電池に充放電電流が流れている場合でも二次電池の充電量を精度よく算出することができる充電量算出装置、該充電量算出装置を実現するためのコンピュータプログラム及び充電量算出方法を提供することを目的とする。
【課題を解決するための手段】
【０００７】
本発明の実施の形態に係る充電量算出装置は、二次電池の充電量を算出する充電量算出装置であって、二次電池の電圧を取得する電圧取得部と、前記二次電池の電流を取得する電流取得部と、該電流取得部で取得した電流を積算して前記二次電池の第１充電量を算出する第１算出部と、前記電圧取得部で取得した電圧、前記電流取得部で取得した電流及び前記二次電池の等価回路モデルに基づいて前記二次電池の第２充電量を算出する第２算出部と、所定条件を充足するか否かを判定する判定部とを備え、前記判定部で前記所定条件を充足しないと判定した場合、前記第１充電量を前記二次電池の充電量とし、前記判定部で前記所定条件を充足すると判定した場合、前記第２充電量を前記二次電池の充電量とし、さらに、前記第２算出部で算出した第２充電量を前記二次電池の充電量とした時点で、前記第１算出部で算出した第１充電量及び前記第２充電量の充電量差を算出する充電量差算出部と、該充電量差算出部で算出した充電量差に基づいて、充電量の単位時間当たりの単位時間誤差量を算出する単位時間誤差量算出部とを備え、前記判定部は、前記第２算出部で算出した第２充電量を前記二次電池の充電量とした時点からの経過時間及び前記単位時間誤差量に基づいて、前記所定条件を充足するか否かを判定する。
【０００８】
本発明の実施の形態に係るコンピュータプログラムは、コンピュータに、二次電池の充電量を算出させるためのコンピュータプログラムであって、コンピュータを、二次電池の電圧を取得する電圧取得部と、前記二次電池の電流を取得する電流取得部と、取得した電流を積算して前記二次電池の第１充電量を算出する第１算出部と、取得した電圧、電流及び前記二次電池の等価回路モデルに基づいて前記二次電池の第２充電量を算出する第２算出部と、所定条件を充足するか否かを判定する判定部として機能させ、前記所定条件を充足しないと判定した場合、前記第１充電量を前記二次電池の充電量とし、前記所定条件を充足すると判定した場合、前記第２充電量を前記二次電池の充電量として処理し、さらに、コンピュータを、算出した第２充電量を前記二次電池の充電量とした時点で、算出した第１充電量及び前記第２充電量の充電量差を算出する充電量差算出部と、算出した充電量差に基づいて、充電量の単位時間当たりの単位時間誤差量を算出する単位時間誤差量算出部として機能させ、算出した第２充電量を前記二次電池の充電量とした時点からの経過時間及び前記単位時間誤差量に基づいて、前記所定条件を充足するか否かを判定する。
【０００９】
本発明の実施の形態に係る充電量算出方法は、二次電池の充電量を算出する充電量算出方法であって、二次電池の電圧を電圧取得部が取得し、前記二次電池の電流を電流取得部が取得し、取得された電流を積算して前記二次電池の第１充電量を第１算出部が算出し、取得された電圧及び電流並びに前記二次電池の等価回路モデルに基づいて前記二次電池の第２充電量を第２算出部が算出し、所定条件を充足するか否かを判定部が判定し、前記所定条件を充足しないと判定された場合、前記第１充電量を前記二次電池の充電量とし、前記所定条件を充足すると判定された場合、前記第２充電量を前記二次電池の充電量とし、さらに、算出された第２充電量を前記二次電池の充電量とした時点で、算出された第１充電量及び前記第２充電量の充電量差を充電量差算出部が算出し、算出された充電量差に基づいて、充電量の単位時間当たりの単位時間誤差量を単位時間誤差量算出部が算出し、算出された第２充電量を前記二次電池の充電量とした時点からの経過時間及び前記単位時間誤差量に基づいて、前記所定条件を充足するか否かを判定する。
【発明の効果】
【００１０】
本発明によれば、二次電池に充放電電流が流れている場合でも二次電池の充電量を精度よく算出することができる。
【図面の簡単な説明】
【００１１】
【図１】本実施の形態の充電量算出装置としての電池監視装置を搭載した車両の要部の構成の一例を示すブロック図である。
【図２】本実施の形態の電池監視装置の構成の一例を示すブロック図である。
【図３】本実施の形態の二次電池ユニットの等価回路モデルの一例を示す説明図である。
【図４】本実施の形態の二次電池ユニット５０の充電開始後の電圧の推移の一例を示す模式図である。
【図５】本実施の形態の二次電池ユニット５０の放電開始後の電圧の推移の一例を示す模式図である。
【図６】本実施の形態の二次電池ユニットの開放電圧と充電量との相関関係の一例を示す説明図である。
【図７】本実施の形態の電池監視装置による二次電池ユニットの充電量の算出処理の要部を示す模式図である。
【図８】本実施の形態の二次電池ユニットの電流波形の一例を示す説明図である。
【図９】本実施の形態の電池監視装置が算出する各充電量の一例を示す説明図である。
【図１０】本実施の形態の電池監視装置による二次電池ユニットの充電量の一例を示す説明図である。
【図１１】本実施の形態の電池監視装置による二次電池ユニットの充電量の誤差の一例を示す説明図である。
【図１２】本実施の形態の電池監視装置による充電量算出の処理手順の第１例を示すフローチャートである。
【図１３】本実施の形態の電池監視装置による電池等価回路モデルＳＯＣ算出の処理手順の一例を示すフローチャートである。
【図１４】本実施の形態の電池監視装置による電池等価回路モデルＳＯＣ算出の処理手順の一例を示すフローチャートである。
【図１５】本実施の形態の電池監視装置による充電量算出の処理手順の第２例を示すフローチャートである。
【図１６】本実施の形態の電池監視装置による充電量算出の処理手順の第３例を示すフローチャートである。
【図１７】本実施の形態の電池監視装置による充電量算出の処理手順の第４例を示すフローチャートである。
【発明を実施するための形態】
【００１２】
［本願発明の実施形態の説明］
本発明の実施の形態に係る充電量算出装置は、二次電池の充電量を算出する充電量算出装置であって、二次電池の電圧を取得する電圧取得部と、前記二次電池の電流を取得する電流取得部と、該電流取得部で取得した電流を積算して前記二次電池の第１充電量を算出する第１算出部と、前記電圧取得部で取得した電圧、前記電流取得部で取得した電流及び前記二次電池の等価回路モデルに基づいて前記二次電池の第２充電量を算出する第２算出部と、所定条件を充足するか否かを判定する判定部とを備え、前記判定部で前記所定条件を充足しないと判定した場合、前記第１充電量を前記二次電池の充電量とし、前記判定部で前記所定条件を充足すると判定した場合、前記第２充電量を前記二次電池の充電量とする。
【００１３】
本発明の実施の形態に係るコンピュータプログラムは、コンピュータに、二次電池の充電量を算出させるためのコンピュータプログラムであって、コンピュータを、二次電池の電圧を取得する電圧取得部と、前記二次電池の電流を取得する電流取得部と、取得した電流を積算して前記二次電池の第１充電量を算出する第１算出部と、取得した電圧、電流及び前記二次電池の等価回路モデルに基づいて前記二次電池の第２充電量を算出する第２算出部と、所定条件を充足するか否かを判定する判定部として機能させ、前記所定条件を充足しないと判定した場合、前記第１充電量を前記二次電池の充電量とし、前記所定条件を充足すると判定した場合、前記第２充電量を前記二次電池の充電量として処理する。
【００１４】
本発明の実施の形態に係る充電量算出方法は、二次電池の充電量を算出する充電量算出方法であって、二次電池の電圧を電圧取得部が取得し、前記二次電池の電流を電流取得部が取得し、取得された電流を積算して前記二次電池の第１充電量を第１算出部が算出し、取得された電圧及び電流並びに前記二次電池の等価回路モデルに基づいて前記二次電池の第２充電量を第２算出部が算出し、所定条件を充足するか否かを判定部が判定し、前記所定条件を充足しないと判定された場合、前記第１充電量を前記二次電池の充電量とし、前記所定条件を充足すると判定された場合、前記第２充電量を前記二次電池の充電量とする。
【００１５】
電圧取得部は二次電池の電圧を取得し、電流取得部は二次電池の電流（充電電流及び放電電流を含む）を取得する。第１算出部は、電流取得部で取得した電流を積算して二次電池の第１充電量を算出する。第１充電量は、電流積算に基づく充電量である。電流積算は、電流を時間で積分したものであり、例えば、電流取得のサンプリング間隔をΔｔとし、サンプリングの都度、取得した電流値をＩｂｉ（ｉ＝１、２、…）とすると、電流積算は、ΣＩｂｉ×Δｔ（ｉ＝１、２、…）に基づいて算出することができる。直近に求めた充電量をＳＯＣｉｎとし、第１充電量をＳＯＣ１とすると、第１充電量は、ＳＯＣ１＝ＳＯＣｉｎ±｛ΣＩｂｉ×Δｔ（ｉ＝１、２、…）／満充電容量ＦＣＣ｝という式で算出することができる。なお、当該式において、符号±は、充電時は＋、放電時は−を用いる。
【００１６】
第２算出部は、電圧取得部で取得した電圧、電流取得部で取得した電流及び二次電池の等価回路モデルに基づいて二次電池の第２充電量を算出する。第２充電量は、二次電池の等価回路モデルに基づく充電量である。第２充電量は、電流積算を採用しないので、電流を積算する過程で徐々に増加する電流値の誤差の影響を受けない。等価回路モデルは、二次電池のインピーダンスを表す等価回路であり、例えば、開放電圧ＯＣＶを有する電圧源、抵抗、抵抗とキャパシタとの並列回路などの組み合わせで構成されるインピーダンスで表すことができる。なお、電圧、電流は、二次電池が充電又は放電しているときの値であり、二次電池は、無負荷状態ではない。
【００１７】
判定部は、所定条件を充足するか否かを判定する。所定条件は、例えば、電流積算の誤差が許容範囲を超えるか否かを表す条件とすることができる。すなわち、電流積算の誤差が許容範囲を超える場合には、所定条件を充足すると判定することができ、許容範囲を超えない場合には、所定条件を充足しないと判定することができる。
【００１８】
判定部で所定条件を充足しないと判定した場合（電流積算の誤差が許容範囲を超えない場合）、第１充電量を二次電池の充電量とし、判定部で所定条件を充足すると判定した場合（電流積算の誤差が許容範囲を超える場合）、第１充電量を補正すべく、第２充電量を二次電池の充電量とする（第１充電量を第２充電量で置き換える）。これにより、電流積算の誤差が許容範囲内にある場合には、電流積算に基づく第１充電量を充電量とし、電流積算の誤差が許容範囲を超える場合には、電流積算の影響を受けない等価回路モデルに基づく第２充電量を充電量とすることができ、二次電池に充放電電流が流れている場合でも二次電池の充電量を精度よく算出することができる。
【００１９】
本発明の実施の形態に係る充電量算出装置は、前記判定部は、前記二次電池の電流を積算する時間が所定の積算時間未満である場合、前記所定条件を充足しないと判定する。
【００２０】
判定部は、二次電池の電流を積算する時間が所定の積算時間未満である場合、所定条件を充足しないと判定する。所定の積算時間は、所定のサンプリング周期で二次電池の電流を電流センサで検出して、電流積算を行う場合に、取得した電流値の誤差、すなわち電流積算の誤差が累積されて許容範囲を超えると考えられる時間とすることができる。また、所定の積算時間の起点は、例えば、二次電池の通電を開始した時点、あるいは第１充電量を第２充電量で置き換えて第１充電量を補正した、直近（前回）の補正時点とすることができる。
【００２１】
上述の構成により、電流積算の誤差が許容範囲を超えない場合には、等価回路モデルに基づく第２充電量の精度に比べて、精度がよい電流積算に基づく第１充電量を用いることができるので、二次電池の充電量を精度よく算出することができる。
【００２２】
本発明の実施の形態に係る充電量算出装置は、前記電流取得部で取得した電流に基づいて前記二次電池の充放電の切り替えの有無を判定する切替判定部を備え、前記判定部は、前記二次電池の電流を積算する時間が前記積算時間以上である場合、前記切替判定部で判定した切り替えの有無に応じて、前記所定条件を充足するか否かを判定する。
【００２３】
切替判定部は、電流取得部で取得した電流に基づいて二次電池の充放電の切り替えの有無を判定する。例えば、充電又は放電の一方を正と定めておき、電流が正から負になった場合、あるいは電流が負から正になった場合、充放電の切り替えが有ったと判定することができる。
【００２４】
判定部は、二次電池の電流を積算する時間が積算時間以上である場合、切替判定部で判定した充放電の切り替えの有無に応じて、所定条件を充足するか否かを判定する。例えば、切替判定部で充放電の切り替えがあったと判定した場合、所定条件を充足すると判定することができる。
【００２５】
充電から放電、あるいは放電から充電に切り替わると、二次電池の内部インピーダンスが一旦リセットされ、等価回路モデルの精度が高くなると考えられる。そこで、電流積算の誤差が許容範囲を超え、かつ二次電池の充放電の切り替えが有った場合には、電流積算に基づく第１充電量の精度に比べて、精度がよい等価回路モデルに基づく第２充電量を用いることができるので、二次電池の充電量を精度よく算出することができる。
【００２６】
本発明の実施の形態に係る充電量算出装置は、前記第２算出部は、前記切替判定部で充放電の切り替えがあると判定した場合、充放電の切替時点から所定時間経過後に、前記電圧取得部で取得した電圧及び前記電流取得部で取得した電流に基づいて前記二次電池の第２充電量を算出する。
【００２７】
第２算出部は、切替判定部で充放電の切り替えがあると判定した場合、充放電の切替時点から所定時間経過後に、電圧取得部で取得した電圧及び電流取得部で取得した電流に基づいて二次電池の第２充電量を算出する。充放電の切替後の通電時間に応じて二次電池のインピーダンスが安定し、過電圧の影響を少なくすることができるので、等価回路モデルに基づく第２充電量の精度を高くすることができる。
【００２８】
本発明の実施の形態に係る充電量算出装置は、前記第２算出部で算出した第２充電量を前記二次電池の充電量とした時点で、前記第１算出部で算出した第１充電量及び前記第２充電量の充電量差を算出する充電量差算出部と、該充電量差算出部で算出した充電量差に基づいて、充電量の単位時間当たりの単位時間誤差量を算出する単位時間誤差量算出部とを備え、前記判定部は、前記第２算出部で算出した第２充電量を前記二次電池の充電量とした時点からの経過時間及び前記単位時間誤差量に基づいて、前記所定条件を充足するか否かを判定する。
【００２９】
充電量差算出部は、第２算出部で算出した第２充電量を二次電池の充電量とした時点（すなわち、第１充電量を第２充電量で置き換えることで第１充電量を補正した補正時点）で、第１算出部で算出した第１充電量及び第２充電量の充電量差を算出する。第１充電量をＳＯＣ１、第２充電量をＳＯＣ２とすると、充電量差ΔＳＯＣは、ΔＳＯＣ＝ＳＯＣ２−ＳＯＣ１という式で表すことができる。
【００３０】
単位時間誤差量算出部は、充電量差算出部で算出した充電量差に基づいて、充電量の単位時間当たりの単位時間誤差量を算出する。単位時間誤差量をΔＥｔとし、充電量差ΔＳＯＣに相当する容量ΔＥＡｈを充電又は放電に要する時間をＴｅとすると、ΔＥｔ＝ΔＥＡｈ／Ｔｅという式で算出することができる。ここで、二次電池の満充電容量をＦＣＣとすると、ΔＥＡｈ＝ＦＣＣ×ΔＳＯＣ／１００である。すなわち、容量ΔＥＡｈは、単位が％である充電量差ΔＳＯＣを、Ａｈ単位に換算したものである。
【００３１】
判定部は、第２算出部で算出した第２充電量を二次電池の充電量とした時点（すなわち、充電量の直近の補正時点）からの経過時間及び単位時間誤差量に基づいて、所定条件を充足するか否かを判定する。例えば、単位時間誤差量ΔＥｔ×経過時間ｔが、所定値以上となった場合、誤差量（ΔＥｔ×ｔ）が所定値以上となったとして、所定条件を充足すると判定することができる。これにより、直近に求めた充電量差ΔＳＯＣに基づいて、第１充電量を第２充電量で置き換えて第１充電量を補正するか否かを判定することができる。
【００３２】
本発明の実施の形態に係る充電量算出装置は、前記第２算出部で算出した第２充電量を前記二次電池の充電量とした時点で、前記第１算出部で算出した第１充電量及び前記第２充電量の充電量差を算出する充電量差算出部と、該充電量差算出部で算出した充電量差に基づいて、充電量の単位容量当たりの単位容量誤差量を算出する単位容量誤差量算出部とを備え、前記判定部は、前記第２算出部で算出した第２充電量を前記二次電池の充電量とした時点以降の前記二次電池の充放電容量及び前記単位容量誤差量に基づいて、前記所定条件を充足するか否かを判定する。
【００３３】
充電量差算出部は、第２算出部で算出した第２充電量を二次電池の充電量とした時点（すなわち、第１充電量を第２充電量で置き換えることで第１充電量を補正した補正時点）で、第１算出部で算出した第１充電量及び第２充電量の充電量差を算出する。第１充電量をＳＯＣ１、第２充電量をＳＯＣ２とすると、充電量差ΔＳＯＣは、ΔＳＯＣ＝ＳＯＣ２−ＳＯＣ１という式で表すことができる。
【００３４】
単位容量誤差量算出部は、充電量差算出部で算出した充電量差に基づいて、充電量の単位容量当たりの単位容量誤差量を算出する。単位容量誤差量をΔＥｃとし、充電量差ΔＳＯＣに相当する容量ΔＥＡｈに達する充放電容量絶対値をＣａとすると、ΔＥｃ＝ΔＥＡｈ／Ｃｅという式で算出することができる。ここで、二次電池の満充電容量をＦＣＣとすると、ΔＥＡｈ＝ＦＣＣ×ΔＳＯＣ／１００である。すなわち、容量ΔＥＡｈは、単位が％である充電量差ΔＳＯＣを、Ａｈ単位に換算したものである。
【００３５】
判定部は、第２算出部で算出した第２充電量を二次電池の充電量とした時点（すなわち、充電量の直近の補正時点）以降の二次電池の充放電容量及び単位容量誤差量に基づいて、所定条件を充足するか否かを判定する。例えば、単位容量誤差量ΔＥｃ×充放電容量ｃ（充電量の直近の補正時点以降の充放電容量の絶対値）が、所定値以上となった場合、誤差量（ΔＥｃ×ｃ）が所定値以上となったとして、所定条件を充足すると判定することができる。これにより、直近に求めた充電量差ΔＳＯＣに基づいて、第１充電量を第２充電量で置き換えて第１充電量を補正するか否かを判定することができる。
【００３６】
本発明の実施の形態に係る充電量算出装置は、前記電圧取得部で取得した電圧、前記電流取得部で取得した電流及び前記二次電池の等価回路モデルに基づいて前記二次電池の開放電圧を算出する開放電圧算出部を備え、前記第２算出部は、前記開放電圧算出部で算出した開放電圧及び前記二次電池の開放電圧と充電量との対応関係に基づいて、前記二次電池の第２充電量を算出する。
【００３７】
開放電圧算出部は、電圧取得部で取得した電圧Ｖｂ、電流取得部で取得した電流Ｉｂ及び二次電池の等価回路モデルに基づいて二次電池の開放電圧ＯＣＶを算出する。例えば、等価回路モデル（等価回路モデルで表現されるインピーダンス）に流れる電流Ｉｂにより生じる過電圧、取得（検出）される電圧Ｖｂ、及び開放電圧ＯＣＶの間には、（ＯＣＶ＝Ｖｂ−過電圧）、という関係が成り立つ。ここで、電流Ｉｂは、充電時には正、放電時には負とすると、過電圧も充電時は正、放電時は負となる。
【００３８】
第２算出部は、開放電圧算出部で算出した開放電圧ＯＣＶ及び二次電池の開放電圧と充電量との対応関係に基づいて、二次電池の第２充電量を算出する。二次電池の開放電圧ＯＣＶと充電量ＳＯＣとの対応関係は、予め記憶部に記憶する構成でもよく、対応関係を演算回路で演算する構成でもよい。これにより、無負荷時の二次電池の電圧を検出する必要がなく、二次電池に充放電電流が流れている場合でも、電流積算に基づく第１充電量を補正するための第２充電量を算出することができる。
【００３９】
［本願発明の実施形態の詳細］
以下、本発明に係る充電量算出装置の実施の形態を示す図面に基づいて説明する。図１は本実施の形態の充電量算出装置としての電池監視装置１００を搭載した車両の要部の構成の一例を示すブロック図である。図１に示すように、車両は、電池監視装置１００の他に、二次電池ユニット５０、リレー６１、６３、発電機（ＡＬＴ）６２、スタータモータ（ＳＴ）６４、電池６５、電気負荷６６などを備える。
【００４０】
二次電池ユニット５０は、例えば、リチウムイオン電池であり、複数のセル５１が直列又は直並列に接続されている。二次電池ユニット５０には、電圧センサ５２、電流センサ５３、温度センサ５４を備える。電圧センサ５２は、各セル５１の電圧、二次電池ユニット５０の両端の電圧を検出し、電圧検出線５０ａを介して検出した電圧を電池監視装置１００へ出力する。電流センサ５３は、例えば、シャント抵抗又はホールセンサ等で構成され、二次電池ユニット５０の充電電流及び放電電流を検出する。電流センサ５３は、電流検出線５０ｂを介して検出した電流を電池監視装置１００へ出力する。温度センサ５４は、例えば、サーミスタで構成され、セル５１の温度を検出する。温度センサ５４は、温度検出線５０ｃを介して検出した温度を電池監視装置１００へ出力する。
【００４１】
電池６５は、例えば、鉛電池であり、車両の電気負荷６６への電力供給を行うとともに、リレー６３がオンした場合には、スタータモータ６４を駆動するための電力供給を行う。発電機６２は、車両のエンジンの回転により発電し、内部に設けられた整流回路により直流を出力して電池６５を充電する。また、発電機６２は、リレー６１がオンしている場合、電池６５及び二次電池ユニット５０を充電する。なお、リレー６１、６３のオン・オフは不図示のリレー制御部が行う。
【００４２】
図２は本実施の形態の電池監視装置１００の構成の一例を示すブロック図である。電池監視装置１００は、装置全体を制御する制御部１０、電圧取得部１１、電流取得部１２、第１充電量算出部１３、第２充電量算出部１４、開放電圧算出部１５、条件判定部１６、切替判定部１７、充電量差算出部１８、単位時間誤差量算出部１９、単位容量誤差量算出部２０、記憶部２１、及び計時のためのタイマ２２などを備える。
【００４３】
電圧取得部１１は、二次電池ユニット５０の電圧（例えば、二次電池ユニット５０の両端電圧）を取得する。また、電流取得部１２は、二次電池ユニット５０の電流（充電電流及び放電電流）を取得する。なお、電圧、電流の取得頻度、取得するサンプリング周期は、制御部１０が制御することができる。サンプリング周期は、例えば、１０ｍｓとすることができるが、これに限定されるものではない。
【００４４】
第１充電量算出部１３は、第１算出部としての機能を有し、電流取得部１２で取得した電流を積算して二次電池ユニット５０の第１充電量を算出する。第１充電量は、電流積算に基づく充電量であり、電流積算ＳＯＣとも称する。なお、本実施の形態において、充電量は、ＳＯＣ（State Of Charge）又は充電率とも称し、満充電容量に対する充電されている容量の比率を表す。電流積算は、電流を時間で積分したものであり、例えば、電流取得のサンプリング間隔をΔｔとし、サンプリングの都度、取得した電流値をＩｂｉ（ｉ＝１、２、…）とすると、電流積算は、ΣＩｂｉ×Δｔ（ｉ＝１、２、…）に基づいて算出することができる。直近に求めた充電量をＳＯＣｉｎとし、第１充電量をＳＯＣ１とすると、第１充電量は、ＳＯＣ１＝ＳＯＣｉｎ±｛ΣＩｂｉ×Δｔ（ｉ＝１、２、…）／満充電容量ＦＣＣ｝という式で算出することができる。なお、当該式において、符号±は、充電時は＋、放電時は−を用いる。
【００４５】
第２充電量算出部１４は、第２算出部としての機能を有し、電圧取得部１１で取得した電圧、電流取得部１２で取得した電流及び二次電池ユニット５０の等価回路モデルに基づいて二次電池ユニット５０の第２充電量を算出する。第２充電量は、二次電池ユニット５０の等価回路モデルに基づく充電量であり、電池等価回路モデルＳＯＣとも称する。第２充電量は、電流積算を採用しないので、電流を積算する過程で徐々に増加して累積する電流値の誤差（例えば、電流センサ５３の誤差）の影響を受けない。なお、電圧、電流は、二次電池ユニット５０が充電又は放電しているときの値であり、二次電池ユニット５０は、無負荷状態ではない。
【００４６】
図３は本実施の形態の二次電池ユニット５０の等価回路モデルの一例を示す説明図である。等価回路モデル（電池等価回路モデルとも称する）は、二次電池ユニット５０のインピーダンスを表す等価回路であり、例えば、図３に示すように、開放電圧ＯＣＶを有する電圧源、抵抗Ｒ１、抵抗とキャパシタとの並列回路（図３では、抵抗Ｒ２〜Ｒ５それぞれとキャパシタＣ２〜Ｃ５それぞれとの並列回路が４個直列に接続された構成を示す）などの組み合わせで構成されるインピーダンスで表すことができる。二次電池ユニット５０は、開放電圧ＯＣＶを有する電圧源、内部インピーダンスの直列抵抗などで決定される。開放電圧ＯＣＶは、正極、負極及び電解質の静的なつり合いで決まり、内部インピーダンスは動的なメカニズムで決まる。
【００４７】
より具体的には、抵抗Ｒ１は、例えば、電解液バルクの抵抗を表し、抵抗Ｒ２〜Ｒ５は、例えば、界面電荷移動抵抗及び拡散インピーダンスを表し、キャパシタＣ２〜Ｃ５は、例えば、電気二重層キャパシタンスを表す。電解液バルクの抵抗は、電解液中でのリチウム（Ｌｉ）イオンの伝導抵抗、正極及び負極での電子抵抗などを含む。界面電荷移動抵抗は、活物質表面における電荷移動抵抗及び被膜抵抗などを含む。拡散インピーダンスは、活物質粒子内部へのリチウム（Ｌｉ）イオンの拡散過程に起因するインピーダンスである。なお、二次電池ユニット５０の等価回路モデルは一例であって、図３の例に限定されない。
【００４８】
条件判定部１６は、判定部としての機能を有し、所定条件を充足するか否かを判定する。所定条件は、例えば、電流積算の誤差が所定の許容範囲を超えるか否かを表す条件とすることができる。すなわち、電流積算の誤差が許容範囲を超える場合には、所定条件を充足すると判定することができ、許容範囲を超えない場合には、所定条件を充足しないと判定することができる。
【００４９】
制御部１０は、条件判定部１６で所定条件を充足しないと判定した場合（電流積算の誤差が許容範囲を超えない場合）、第１充電量を二次電池ユニット５０の充電量とする。また、制御部１０は、条件判定部１６で所定条件を充足すると判定した場合（電流積算の誤差が許容範囲を超える場合）、第１充電量を補正すべく、第２充電量を二次電池ユニット５０の充電量とする（第１充電量を第２充電量で置き換える）。なお、第２充電量で第１充電量を補正することを電流積算ＳＯＣ補正とも称する。
【００５０】
上述の構成により、電流積算の誤差が許容範囲内にある場合には、電流積算に基づく第１充電量を充電量とし、電流積算の誤差が許容範囲を超える場合には、電流積算の影響を受けない等価回路モデルに基づく第２充電量を充電量とすることができる。これにより、二次電池ユニット５０に充放電電流が流れている場合でも二次電池ユニット５０の充電量を精度よく算出することができる。
【００５１】
次に、上述の所定条件について説明する。所定条件は、例えば、電流積算の積算時間、あるいは二次電池ユニット５０の充放電の切替の有無などによって設定することができる。まず、電流積算の積算時間について説明する。
【００５２】
条件判定部１６は、二次電池ユニット５０の電流を積算する時間が所定の積算時間未満である場合、所定条件を充足しないと判定する。所定の積算時間は、所定のサンプリング周期で二次電池ユニット５０の電流を電流センサ５３で検出して、電流積算を行う場合に、取得した電流値の誤差（電流センサ５３による検出誤差）、すなわち電流積算の誤差が累積されて許容範囲を超えると考えられる時間とすることができる。積算時間は、例えば、１０分、２０分などとすることができるが、これらの値に限定されない。また、所定の積算時間の起点は、例えば、二次電池ユニット５０の通電（充電又は放電）を開始した時点、あるいは第１充電量を補正して第２充電量で置き換えた、直近（前回）の補正時点とすることができる。
【００５３】
上述の構成により、電流積算の誤差が許容範囲を超えない場合には、等価回路モデルに基づく第２充電量の精度に比べて、精度がよい電流積算に基づく第１充電量を用いることができるので、二次電池ユニット５０の充電量を精度よく算出することができる。
【００５４】
次に、所定条件を二次電池ユニット５０の充放電の切替の有無に基づいて設定する場合ついて説明する。
【００５５】
切替判定部１７は、電流取得部１２で取得した電流に基づいて二次電池ユニット５０の充放電の切り替えの有無を判定する。例えば、充電又は放電の一方を正と定めておき、電流が正から負になった場合、あるいは電流が負から正になった場合、充放電の切り替えが有ったと判定することができる。
【００５６】
条件判定部１６は、二次電池ユニット５０の電流を積算する時間が積算時間以上である場合、切替判定部１７で判定した充放電の切り替えの有無に応じて、所定条件を充足するか否かを判定する。例えば、切替判定部１７で充放電の切り替えがあったと判定した場合、所定条件を充足すると判定することができる。また、切替判定部１７で充放電の切り替えがないと判定した場合、所定条件を充足しないと判定することができる。
【００５７】
充電から放電、あるいは放電から充電に切り替わると、二次電池ユニット５０の内部インピーダンスが一旦リセットされ、等価回路モデルの精度が高くなると考えられる。そこで、電流積算の誤差が許容範囲を超え、かつ二次電池ユニット５０の充放電の切り替えが有った場合には、電流積算に基づく第１充電量の精度に比べて、精度がよい等価回路モデルに基づく第２充電量を用いることができるので、二次電池ユニット５０の充電量を精度よく算出することができる。
【００５８】
第２充電量算出部１４は、切替判定部１７で充放電の切り替えがあると判定した場合、充放電の切替時点から所定時間経過後に、電圧取得部１１で取得した電圧及び電流取得部１２で取得した電流に基づいて二次電池ユニット５０の第２充電量を算出する。所定時間は、充電から放電に切り替わった場合と、放電から充電に切り替わった場合とで異なる値を用いてもよく、同じ値を用いてもよい。所定時間は、例えば、０．１秒〜２秒程度とすることができるが、これらの数値に限定されない。
【００５９】
充放電の切替後の通電時間（充電時間又は放電時間）に応じて二次電池ユニット５０のインピーダンスが安定し、過電圧の影響を少なくすることができるので、等価回路モデルに基づく第２充電量の精度を高くすることができる。なお、過電圧は、二次電池ユニット５０の電圧（端子電圧）と開放電圧ＯＣＶ（開回路電圧とも称する）との差をいう。
【００６０】
次に、第２充電量の算出方法について、より具体的に説明する。
【００６１】
開放電圧算出部１５は、電圧取得部１１で取得した電圧Ｖｂ、電流取得部１２で取得した電流Ｉｂ及び二次電池ユニット５０の等価回路モデルに基づいて二次電池ユニット５０の開放電圧ＯＣＶを算出する。
【００６２】
図４は本実施の形態の二次電池ユニット５０の充電開始後の電圧の推移の一例を示す模式図である。図４の上段の図は、充電も放電を行われていない状態から充電が開始された以降の、二次電池ユニット５０の電流Ｉｂを模式的に示す。図４の下段の図は、充電が開始された以降の、二次電池ユニット５０の開放電圧ＯＣＶ、端子電圧である電圧Ｖｂ、及び過電圧の関係を模式的に示す。過電圧は、二次電池ユニット５０の電圧Ｖｂと開放電圧ＯＣＶとの差の電圧をいう。開放電圧ＯＣＶは、二次電池ユニット５０の端子電圧の静的な状態を示し、電極間に外部電源を接続し、電流を０Ａにして自己放電しない時間範囲内で長時間緩和させたときの平衡電位である。図４に示すように、充電電流Ｉｂが流れると、二次電池ユニット５０の電圧Ｖｂは、ステップ的な電圧上昇に続いて、様々な電気化学反応の遅れにより緩やかに上昇する。図４に示すように、取得（検出）される電圧Ｖｂ、過電圧及び開放電圧ＯＣＶの間には、（ＯＣＶ＝Ｖｂ−過電圧）、という関係が成り立つ。充電時には、電流Ｉｂは正、過電圧も正となる。
【００６３】
図５は本実施の形態の二次電池ユニット５０の放電開始後の電圧の推移の一例を示す模式図である。図５の上段の図は、充電も放電を行われていない状態から放電が開始された以降の、二次電池ユニット５０の電流Ｉｂを模式的に示す。図５の下段の図は、充電が開始された以降の、二次電池ユニット５０の開放電圧ＯＣＶ、端子電圧である電圧Ｖｂ、及び過電圧の関係を模式的に示す。図５に示すように、放電電流Ｉｂが流れると、二次電池ユニット５０の電圧Ｖｂは、ステップ的な電圧降下に続いて、様々な電気化学反応の遅れにより緩やかに低下する。取得（検出）される電圧Ｖｂ、過電圧及び開放電圧ＯＣＶの間には、ＯＣＶ＝Ｖｂ−過電圧、という関係が成り立つ。放電時には、電流Ｉｂは負、過電圧も負となるので、（ＯＣＶ＝Ｖｂ−過電圧）、という関係は、図５に示すように、（ＯＣＶ＝Ｖｂ＋過電圧）、と表すことができる。
【００６４】
上述のように、等価回路モデルに流れる電流Ｉｂにより生じる過電圧、取得（検出）される電圧Ｖｂ、及び開放電圧ＯＣＶの間には、（ＯＣＶ＝Ｖｂ−過電圧）、という関係が成り立つ。ここで、電流Ｉｂは、充電時には正、放電時には負とすると、過電圧も充電時は正、放電時は負となる。
【００６５】
第２充電量算出部１４は、開放電圧算出部１５で算出した開放電圧ＯＣＶ、及び二次電池ユニット５０の開放電圧ＯＣＶと充電量ＳＯＣとの対応関係に基づいて、二次電池ユニット５０の第２充電量を算出する。
【００６６】
図６は本実施の形態の二次電池ユニット５０の開放電圧と充電量との相関関係の一例を示す説明図である。図６において、横軸は開放電圧ＯＣＶを示し、縦軸は充電量ＳＯＣを示す。図６に示すように、二次電池ユニット５０の開放電圧が大きいほど充電量が増加する。なお、図６に例示する開放電圧と充電量との相関関係は、記憶部２１に記憶してもよく、あるいは演算回路で演算するようにしてもよい。
【００６７】
上述の構成により、無負荷時の二次電池ユニット５０の電圧を検出する必要がなく、二次電池ユニット５０に充放電電流が流れている場合でも、電流積算に基づく第１充電量を補正するための第２充電量を算出することができる。
【００６８】
図７は本実施の形態の電池監視装置１００による二次電池ユニット５０の充電量の算出処理の要部を示す模式図である。二次電池ユニット５０の電圧Ｖｂ、及び電流Ｉｂが、所定のサンプリング周期（例えば、１０ｍｓ）で取得されると、第１充電量算出部１３は、電流積算の処理を行って、当該サンプリング周期で第１充電量を算出する。制御部１０は、算出された第１充電容量を二次電池ユニット５０の充電量ＳＯＣとして出力する。
【００６９】
第２充電量算出部１４は、二次電池ユニット５０の電流Ｉｂ及び電池等価回路モデルに基づいて二次電池ユニット５０の過電圧を算出し、二次電池ユニット５０の電圧Ｖｂから算出した過電圧を減算して開放電圧ＯＣＶを算出する。第２充電量算出部１４は、算出した開放電圧ＯＣＶを、図６に例示したようなＯＣＶ−ＳＯＣ特性に基づいて変換することにより、第２充電量を算出する。第２充電量の算出頻度は、前述のサンプリング周期（例えば、１０ｍｓ）の都度でもよく、後述のトリガが生成される都度でもよい。
【００７０】
切替判定部１７は、二次電池ユニット５０の電流Ｉｂに基づいて、ゼロクロス判定処理（電流ゼロクロスの有無の判定処理、すなわち、充放電の切替の有無の判定処理）を行い、電流ゼロクロスがあった時点（充放電の切替時点）から所定時間（例えば、０．１秒〜２秒程度など）経過した時点でトリガ（所定時間経過トリガとも称する）を生成する、所定時間経過トリガ生成処理を行う。
【００７１】
制御部１０は、所定時間経過トリガが生成された時点で、第１充電量を第２充電量に置き換えることにより第１充電量を補正する。すなわち、制御部１０は、所定時間経過トリガが生成された時点で第２充電量算出部１４が算出した第２充電量を二次電池ユニット５０の充電量ＳＯＣとして出力する。
【００７２】
図８は本実施の形態の二次電池ユニット５０の電流波形の一例を示す説明図である。図８において、横軸は時間を示し、縦軸は電流を示す。電流が正の場合は充電状態であり、電流が負の場合は放電状態である。図８の例では、数時間程度の間での電流の推移を表しており、充電から放電、及び放電から充電に切り替わるタイミングで電流ゼロクロスが発生していることが分かる。なお、電流波形は一例であり、これに限定されない。
【００７３】
図９は本実施の形態の電池監視装置１００が算出する各充電量の一例を示す説明図である。図９において、横軸は時間を示し、縦軸は充電量ＳＯＣを示す。図９中、「電流積算（電流誤差あり）」で示すグラフは、図８に例示した電流に基づいて算出した第１充電量の時刻０からの推移を示す。また、「電池等価回路モデル」で示すグラフは、図８に例示した電流に基づいて算出した第２充電量の時刻０からの推移を示す。また、「電流積算（電流誤差なし）」で示すグラフは、図８に例示した電流を誤差がない状態で積算した場合の時刻０からの推移を示し、電流積算の真値を表す。
【００７４】
図９から分かるように、電流積算に基づく第１充電量は、時間の経過とともに電流積算の真値からの乖離が大きくなり、誤差が徐々に増大していくことがわかる。また、時刻０からの時間経過が短い間では、電流積算に基づく第１充電量と電流積算の真値との差が小さく、第１充電量が二次電池ユニット５０の充電量を精度よく表していることがわかる。また、充放電の切替が発生したタイミングで、第２充電量が電流積算の真値に近づく傾向があることも分かる。
【００７５】
図１０は本実施の形態の電池監視装置１００による二次電池ユニット５０の充電量の一例を示す説明図である。図１０において、横軸は時間を示し、縦軸は充電量ＳＯＣを示す。図１０では、所定時間経過トリガが４回生成されている。所定時間経過トリガが生成されるタイミングで、図中符号Ａ、Ｂ、Ｃ及びＤで示すように二次電池ユニット５０の充電量が補正されていることが分かる。
【００７６】
図１１は本実施の形態の電池監視装置１００による二次電池ユニット５０の充電量の誤差の一例を示す説明図である。図１１において、横軸は時間を示し、縦軸は充電量ＳＯＣの誤差を示す。図１１中、電流積算の真値は、誤差０％の横軸により表される。「補正前誤差」で示すグラフは、電流積算の真値に対する第１充電量と電流積算の真値との差の割合（誤差）を示す。また、「補正後誤差」で示すグラフは、電流積算の真値に対する補正後の充電量の割合（誤差）を示す。図１１に示すように、所定時間経過トリガが生成されるタイミングで、誤差が小さくなるように二次電池ユニット５０の充電量が補正されていることが分かる。
【００７７】
次に、本実施の形態の電池監視装置１００の動作について説明する。図１２は本実施の形態の電池監視装置１００による充電量算出の処理手順の第１例を示すフローチャートである。以下では便宜上、処理の主体を制御部１０として説明する。制御部１０は、電流積算ＳＯＣ（第１充電量）を算出する（Ｓ１１）。電流積算ＳＯＣの算出頻度は、二次電池ユニット５０の電流検出のサンプリング周期と同期させることができ、たとえば、１０ｍｓとすることができる。電流積算ＳＯＣの算出処理の詳細は後述する。
【００７８】
制御部１０は、通電開始から積算時間Ｔ１が経過したか否かを判定する（Ｓ１２）。積算時間Ｔ１は、例えば、１０分、２０分などとすることができる。積算時間Ｔ１は、二次電池ユニット５０の種類、型式などに応じて適宜設定すればよい。通電開始から積算時間Ｔ１が経過した場合（Ｓ１２でＹＥＳ）、制御部１０は、電流ゼロクロスの有無を判定し（Ｓ１３）、電流ゼロクロスがあった場合（Ｓ１３でＹＥＳ）、充電から放電への切替であるか否かを判定する（Ｓ１４）。
【００７９】
充電から放電への切替である場合（Ｓ１４でＹＥＳ）、制御部１０は、電流ゼロクロスが発生した時点から所定時間Ｔｃｄが経過したか否かを判定する（Ｓ１５）。所定時間Ｔｃｄは、例えば、０．１秒〜２秒程度とすることができる。所定時間Ｔｃｄが経過していない場合（Ｓ１５でＮＯ）、制御部１０は、ステップＳ１５の処理を続ける。所定時間Ｔｃｄが経過した場合（Ｓ１５でＹＥＳ）、制御部１０は、電池等価回路モデルＳＯＣ（第２充電量）を算出する（Ｓ１７）。電池等価回路モデルＳＯＣの算出処理の詳細は後述する。
【００８０】
充電から放電への切替でない場合（Ｓ１４でＮＯ）、すなわち、放電から充電への切替である場合、制御部１０は、電流ゼロクロスが発生した時点から所定時間Ｔｄｃが経過したか否かを判定する（Ｓ１６）。所定時間Ｔｄｃは、例えば、０．１秒〜２秒程度とすることができる。所定時間Ｔｄｃが経過していない場合（Ｓ１６でＮＯ）、制御部１０は、ステップＳ１６の処理を続ける。所定時間Ｔｄｃが経過した場合（Ｓ１６でＹＥＳ）、制御部１０は、ステップＳ１７の処理を行う。
【００８１】
制御部１０は、電流積算ＳＯＣの補正を行う（Ｓ１８）。電流積算ＳＯＣの補正は、所定時間Ｔｃｄ又はＴｄｃが経過した時点において、直近に算出された電流積算ＳＯＣを電池等価回路モデルＳＯＣで置き換える処理である。
【００８２】
制御部１０は、積算時間Ｔ１をリセットし（Ｓ１９）、置き換えた電池等価回路モデルＳＯＣを二次電池ユニット５０の充電量ＳＯＣとして出力し（Ｓ２０）、処理を終了する。通電開始から積算時間Ｔ１が経過していない場合（Ｓ１２でＮＯ）、あるいは、電流ゼロクロスがない場合（Ｓ１３でＮＯ）、制御部１０は、算出した電流積算ＳＯＣを二次電池ユニット５０の充電量ＳＯＣとして出力し（Ｓ２０）、処理を終了する。なお、図１２に示す処理は、二次電池ユニット５０の充電又は放電が続く場合、繰り返し行うことができる。
【００８３】
図１３は本実施の形態の電池監視装置１００による電流積算ＳＯＣ算出の処理手順の一例を示すフローチャートである。制御部１０は、所定のサンプリング周期（例えば、１０ｍｓ）で二次電池ユニット５０の電流Ｉｂを取得し（Ｓ１０１）、取得した電流値を積算する（Ｓ１０２）。制御部１０は、積算した電流値を満充電容量で除算して、電流積算ＳＯＣを算出し（Ｓ１０３）、処理を終了する。なお、ＳＯＣの初期値は、例えば、イグニッションがオフ時、あるいはイグニッションのオン直後、つまり二次電池ユニット５０の電流が流れていないときに取得した電圧をＯＣＶとし、当該ＯＣＶから求めたＳＯＣを初期値とすればよい。
【００８４】
図１４は本実施の形態の電池監視装置１００による電池等価回路モデルＳＯＣ算出の処理手順の一例を示すフローチャートである。制御部１０は、二次電池ユニット５０の電圧Ｖｂを取得し（Ｓ１１１）、電流Ｉｂを取得する（Ｓ１１２）。電圧Ｖｂ及び電流Ｉｂの取得のタイミングは、所定のサンプリング周期（例えば、１０ｍｓ）の都度でもよく、あるいは、複数回サンプリングした値を平均化した後でもよい。
【００８５】
制御部１０は、取得した電流Ｉｂ及び電池等価回路モデルに基づいて過電圧を算出し（Ｓ１１３）、取得した電圧Ｖｂ及び算出した過電圧に基づいて開放電圧ＯＣＶを算出する（Ｓ１１４）。制御部１０は、算出した開放電圧ＯＣＶを変換して、電池等価回路モデルＳＯＣを算出し（Ｓ１１５）、処理を終了する。
【００８６】
図１５は本実施の形態の電池監視装置１００による充電量算出の処理手順の第２例を示すフローチャートである。図１２に示す第１例との相違点は、積算時間の起点が異なる点である。制御部１０、電流積算ＳＯＣ（第１充電量）を算出する（Ｓ３１）。電流積算ＳＯＣの算出頻度は、二次電池ユニット５０の電流検出のサンプリング周期と同期させることができ、たとえば、１０ｍｓとすることができる。電流積算ＳＯＣの算出処理は、図１３に示す処理と同じである。
【００８７】
制御部１０は、前回（直近）の補正時点から積算時間Ｔ２が経過したか否かを判定する（Ｓ３２）。積算時間Ｔ２は、例えば、１０分、２０分などとすることができる。積算時間Ｔ２は、二次電池ユニット５０の種類、型式などに応じて適宜設定すればよい。前回の補正時点から積算時間Ｔ２が経過した場合（Ｓ３２でＹＥＳ）、制御部１０は、電流ゼロクロスの有無を判定し（Ｓ３３）、電流ゼロクロスがあった場合（Ｓ３３でＹＥＳ）、充電から放電への切替であるか否かを判定する（Ｓ３４）。
【００８８】
充電から放電への切替である場合（Ｓ３４でＹＥＳ）、制御部１０は、電流ゼロクロスが発生した時点から所定時間Ｔｃｄが経過したか否かを判定する（Ｓ３５）。所定時間Ｔｃｄは、例えば、０．１秒〜２秒程度とすることができる。所定時間Ｔｃｄが経過していない場合（Ｓ３５でＮＯ）、制御部１０は、ステップＳ３５の処理を続ける。所定時間Ｔｃｄが経過した場合（Ｓ３５でＹＥＳ）、制御部１０は、電池等価回路モデルＳＯＣ（第２充電量）を算出する（Ｓ３７）。電池等価回路モデルＳＯＣの算出処理は、図１４に示す処理を同じである。
【００８９】
充電から放電への切替でない場合（Ｓ３４でＮＯ）、すなわち、放電から充電への切替である場合、制御部１０は、電流ゼロクロスが発生した時点から所定時間Ｔｄｃが経過したか否かを判定する（Ｓ３６）。所定時間Ｔｄｃは、例えば、０．１秒〜２秒程度とすることができる。所定時間Ｔｄｃが経過していない場合（Ｓ３６でＮＯ）、制御部１０は、ステップＳ３６の処理を続ける。所定時間Ｔｄｃが経過した場合（Ｓ３６でＹＥＳ）、制御部１０は、ステップＳ３７の処理を行う。
【００９０】
制御部１０は、電流積算ＳＯＣの補正を行う（Ｓ３８）。電流積算ＳＯＣの補正は、所定時間Ｔｃｄ又はＴｄｃが経過した時点において、直近に算出された電流積算ＳＯＣを電池等価回路モデルＳＯＣで置き換える処理である。
【００９１】
制御部１０は、積算時間Ｔ２をリセットし（Ｓ３９）、置き換えた電池等価回路モデルＳＯＣを二次電池ユニット５０の充電量ＳＯＣとして出力し（Ｓ４０）、処理を終了する。前回の補正時点から積算時間Ｔ２が経過していない場合（Ｓ３２でＮＯ）、あるいは、電流ゼロクロスがない場合（Ｓ３３でＮＯ）、制御部１０は、算出した電流積算ＳＯＣを二次電池ユニット５０の充電量ＳＯＣとして出力し（Ｓ４０）、処理を終了する。なお、図１５に示す処理は、二次電池ユニット５０の充電又は放電が続く場合、繰り返し行うことができる。
【００９２】
次に、前回（直近）の充電量の補正量（充電量差）に基づいて二次電池ユニット５０の充電量ＳＯＣを算出する方法について、第３例として単位時間誤差量を用いる場合、及び第４例として単位容量誤差量を用いる場合について説明する。まず、第３例として単位時間誤差量を用いる場合について説明する。
【００９３】
充電量差算出部１８は、第２充電量算出部１４で算出した第２充電量を二次電池ユニット５０の充電量とした時点（すなわち、第１充電量を第２充電量で置き換えることで第１充電量を補正した補正時点）で、第１充電量算出部１３で算出した第１充電量及び置き換えた第２充電量の充電量差を算出する。第１充電量をＳＯＣ１、第２充電量をＳＯＣ２とすると、充電量差ΔＳＯＣは、ΔＳＯＣ＝ＳＯＣ２−ＳＯＣ１という式で表すことができる。
【００９４】
単位時間誤差量算出部１９は、充電量差算出部１８で算出した充電量差に基づいて、充電量の単位時間当たりの単位時間誤差量を算出する。単位時間誤差量をΔＥｔとし、充電量差ΔＳＯＣに相当する容量ΔＥＡｈを充電又は放電に要する時間をＴｅとすると、ΔＥｔ＝ΔＥＡｈ／Ｔｅという式で算出することができる。ここで、二次電池ユニット５０の満充電容量をＦＣＣとすると、ΔＥＡｈ＝ＦＣＣ×ΔＳＯＣ／１００である。すなわち、容量ΔＥＡｈは、単位が％である充電量差ΔＳＯＣを、Ａｈ単位に換算したものである。
【００９５】
条件判定部１６は、第２充電量算出部１４で算出した第２充電量を二次電池ユニット５０の充電量とした時点（すなわち、充電量の直近の補正時点）からの経過時間及び単位時間誤差量に基づいて、所定条件を充足するか否かを判定する。
【００９６】
例えば、単位時間誤差量ΔＥｔ×経過時間ｔが、所定値以上となった場合、誤差量（ΔＥｔ×ｔ）が所定値以上となったとして、所定条件を充足すると判定することができる。これにより、直近に求めた充電量差ΔＳＯＣに基づいて、第１充電量を第２充電量で置き換えて第１充電量を補正するか否かを判定することができる。
【００９７】
図１６は本実施の形態の電池監視装置１００による充電量算出の処理手順の第３例を示すフローチャートである。制御部１０、電流積算ＳＯＣ（第１充電量）を算出する（Ｓ５１）。電流積算ＳＯＣの算出頻度は、二次電池ユニット５０の電流検出のサンプリング周期と同期させることができ、たとえば、１０ｍｓとすることができる。電流積算ＳＯＣの算出処理は、図１３に示す処理と同じである。
【００９８】
制御部１０は、単位時間当たりの誤差量（単位時間誤差量ΔＥｔ）を算出し（Ｓ５２）、誤差量（ΔＥｔ×経過時間ｔ）が所定値以上となったか否かを判定する（Ｓ５３）。なお、所定値は、判定時点のＳＯＣの５％〜１０％程度とすることができるが、これらの数値に限定されるものではない。
【００９９】
誤差量（ΔＥｔ×経過時間ｔ）が所定値以上となった場合（Ｓ５３でＹＥＳ）、制御部１０は、電流ゼロクロスの有無を判定し（Ｓ５４）、電流ゼロクロスがあった場合（Ｓ５４でＹＥＳ）、充電から放電への切替であるか否かを判定する（Ｓ５５）。
【０１００】
充電から放電への切替である場合（Ｓ５５でＹＥＳ）、制御部１０は、電流ゼロクロスが発生した時点から所定時間Ｔｃｄが経過したか否かを判定する（Ｓ５６）。所定時間Ｔｃｄは、例えば、０．１秒〜２秒程度とすることができる。所定時間Ｔｃｄが経過していない場合（Ｓ５６でＮＯ）、制御部１０は、ステップＳ５６の処理を続ける。所定時間Ｔｃｄが経過した場合（Ｓ５６でＹＥＳ）、制御部１０は、電池等価回路モデルＳＯＣ（第２充電量）を算出する（Ｓ５７）。電池等価回路モデルＳＯＣの算出処理は、図１４に示す処理と同じである。
【０１０１】
充電から放電への切替でない場合（Ｓ５５でＮＯ）、すなわち、放電から充電への切替である場合、制御部１０は、電流ゼロクロスが発生した時点から所定時間Ｔｄｃが経過したか否かを判定する（Ｓ５８）。所定時間Ｔｄｃは、例えば、０．１秒〜２秒程度とすることができる。所定時間Ｔｄｃが経過していない場合（Ｓ５８でＮＯ）、制御部１０は、ステップＳ５８の処理を続ける。所定時間Ｔｄｃが経過した場合（Ｓ５８でＹＥＳ）、制御部１０は、ステップＳ５７の処理を行う。
【０１０２】
制御部１０は、電流積算ＳＯＣの補正を行う（Ｓ５９）。電流積算ＳＯＣの補正は、所定時間Ｔｃｄ又はＴｄｃが経過した時点において、直近に算出された電流積算ＳＯＣを電池等価回路モデルＳＯＣで置き換える処理である。
【０１０３】
制御部１０は、置き換えた電池等価回路モデルＳＯＣを二次電池ユニット５０の充電量ＳＯＣとして出力し（Ｓ６０）、処理を終了する。誤差量（ΔＥｔ×経過時間ｔ）が所定値以上でない場合（Ｓ５３でＮＯ）、あるいは、電流ゼロクロスがない場合（Ｓ５４でＮＯ）、制御部１０は、算出した電流積算ＳＯＣを二次電池ユニット５０の充電量ＳＯＣとして出力し（Ｓ６０）、処理を終了する。なお、図１６に示す処理は、二次電池ユニット５０の充電又は放電が続く場合、繰り返し行うことができる。
【０１０４】
図１６に示す処理において、ステップＳ５３、Ｓ５４、Ｓ５５、Ｓ５６、及びＳ５８の処理を省略することもできる。すなわち、誤差量（ΔＥｔ×経過時間ｔ）が所定値以上となった場合（Ｓ５３でＹＥＳ）、制御部１０は、電池等価回路モデルＳＯＣ（第２充電量）を算出する（Ｓ５７）ようにしてもよい。
【０１０５】
次に、第４例として単位容量誤差量を用いる場合について説明する。
【０１０６】
第３例の場合と同様、充電量差算出部１８は、第２充電量算出部１４で算出した第２充電量を二次電池ユニット５０の充電量とした時点（すなわち、第１充電量を第２充電量で置き換えることで第１充電量を補正した補正時点）で、第１充電量算出部１３で算出した第１充電量及び置き換えた第２充電量の充電量差を算出する。第１充電量をＳＯＣ１、第２充電量をＳＯＣ２とすると、充電量差ΔＳＯＣは、ΔＳＯＣ＝ＳＯＣ２−ＳＯＣ１という式で表すことができる。
【０１０７】
単位容量誤差量算出部２０は、充電量差算出部１８で算出した充電量差に基づいて、充電量の単位容量当たりの単位容量誤差量を算出する。単位容量誤差量をΔＥｃとし、充電量差ΔＳＯＣに相当する容量ΔＥＡｈに達する充放電容量絶対値をＣａとすると、ΔＥｃ＝ΔＥＡｈ／Ｃｅという式で算出することができる。ここで、二次電池ユニット５０の満充電容量をＦＣＣとすると、ΔＥＡｈ＝ＦＣＣ×ΔＳＯＣ／１００である。すなわち、容量ΔＥＡｈは、単位が％である充電量差ΔＳＯＣを、Ａｈ単位に換算したものである。
【０１０８】
条件判定部１６は、第２充電量算出部１４で算出した第２充電量を二次電池ユニット５０の充電量とした時点（すなわち、充電量の直近の補正時点）以降の二次電池ユニット５０の充放電容量及び単位容量誤差量に基づいて、所定条件を充足するか否かを判定する。
【０１０９】
例えば、単位容量誤差量ΔＥｃ×充放電容量ｃ（充電量の直近の補正時点以降の充放電容量の絶対値）が、所定値以上となった場合、誤差量（ΔＥｃ×ｃ）が所定値以上となったとして、所定条件を充足すると判定することができる。これにより、直近に求めた充電量差ΔＳＯＣに基づいて、第１充電量を第２充電量で置き換えて第１充電量を補正するか否かを判定することができる。
【０１１０】
図１７は本実施の形態の電池監視装置１００による充電量算出の処理手順の第４例を示すフローチャートである。制御部１０、電流積算ＳＯＣ（第１充電量）を算出する（Ｓ７１）。電流積算ＳＯＣの算出頻度は、二次電池ユニット５０の電流検出のサンプリング周期と同期させることができ、たとえば、１０ｍｓとすることができる。電流積算ＳＯＣの算出処理は、図１３に示す処理と同じである。
【０１１１】
制御部１０は、単位充放電容量当たりの誤差量（単位容量誤差量ΔＥｃ）を算出し（Ｓ７２）、誤差量（ΔＥｃ×充放電容量ｃ）が所定値以上となったか否かを判定する（Ｓ７３）。なお、所定値は、判定時点のＳＯＣの５％〜１０％程度とすることができるが、これらの数値に限定されるものではない。
【０１１２】
誤差量（ΔＥｃ×充放電容量ｃ）が所定値以上となった場合（Ｓ７３でＹＥＳ）、制御部１０は、電流ゼロクロスの有無を判定し（Ｓ７４）、電流ゼロクロスがあった場合（Ｓ７４でＹＥＳ）、充電から放電への切替であるか否かを判定する（Ｓ７５）。
【０１１３】
充電から放電への切替である場合（Ｓ７５でＹＥＳ）、制御部１０は、電流ゼロクロスが発生した時点から所定時間Ｔｃｄが経過したか否かを判定する（Ｓ７６）。所定時間Ｔｃｄは、例えば、０．１秒〜２秒程度とすることができる。所定時間Ｔｃｄが経過していない場合（Ｓ７６でＮＯ）、制御部１０は、ステップＳ７６の処理を続ける。所定時間Ｔｃｄが経過した場合（Ｓ７６でＹＥＳ）、制御部１０は、電池等価回路モデルＳＯＣ（第２充電量）を算出する（Ｓ７７）。電池等価回路モデルＳＯＣの算出処理は、図１４に示す処理を同じである。
【０１１４】
充電から放電への切替でない場合（Ｓ７５でＮＯ）、すなわち、放電から充電への切替である場合、制御部１０は、電流ゼロクロスが発生した時点から所定時間Ｔｄｃが経過したか否かを判定する（Ｓ７８）。所定時間Ｔｄｃは、例えば、０．１秒〜２秒程度とすることができる。所定時間Ｔｄｃが経過していない場合（Ｓ７８でＮＯ）、制御部１０は、ステップＳ７８の処理を続ける。所定時間Ｔｄｃが経過した場合（Ｓ７８でＹＥＳ）、制御部１０は、ステップＳ７７の処理を行う。
【０１１５】
制御部１０は、電流積算ＳＯＣの補正を行う（Ｓ７９）。電流積算ＳＯＣの補正は、所定時間Ｔｃｄ又はＴｄｃが経過した時点において、直近に算出された電流積算ＳＯＣを電池等価回路モデルＳＯＣで置き換える処理である。
【０１１６】
制御部１０は、置き換えた電池等価回路モデルＳＯＣを二次電池ユニット５０の充電量ＳＯＣとして出力し（Ｓ８０）、処理を終了する。誤差量（ΔＥｃ×充放電容量ｃ）が所定値以上でない場合（Ｓ７３でＮＯ）、あるいは、電流ゼロクロスがない場合（Ｓ７４でＮＯ）、制御部１０は、算出した電流積算ＳＯＣを二次電池ユニット５０の充電量ＳＯＣとして出力し（Ｓ８０）、処理を終了する。なお、図１７に示す処理は、二次電池ユニット５０の充電又は放電が続く場合、繰り返し行うことができる。
【０１１７】
図１７に示す処理において、ステップＳ７３、Ｓ７４、Ｓ７５、Ｓ７６、及びＳ７８の処理を省略することもできる。すなわち、誤差量（ΔＥｃ×充放電容量ｃ）が所定値以上となった場合（Ｓ７３でＹＥＳ）、制御部１０は、電池等価回路モデルＳＯＣ（第２充電量）を算出する（Ｓ７７）ようにしてもよい。
【０１１８】
本実施の形態の充電量算出装置（電池監視装置１００）は、ＣＰＵ（プロセッサ）、ＲＡＭ（メモリ）などを備えた汎用コンピュータを用いて実現することもできる。すなわち、図１２から図１７に示すような、各処理の手順を定めたコンピュータプログラムをコンピュータに備えられたＲＡＭ（メモリ）にロードし、コンピュータプログラムをＣＰＵ（プロセッサ）で実行することにより、コンピュータ上で充電量算出装置（電池監視装置１００）を実現することができる。
【０１１９】
上述のように、本実施の形態の電池監視装置１００（充電量算出装置）によれば、二次電池ユニットが無負荷状態である必要がなく、二次電池ユニットに電流が流れている場合でも、電流積算に基づく充電量を電池等価回路モデルに基づく充電量に置き換えて、電流積算に基づく充電量を補正することができ、二次電池ユニットの充電量を精度よく算出することができる。
【０１２０】
また、比較例として、二次電池の端子電圧及び電流から一次回帰演算して得られる特性直線から開放電圧を算出し、当該開放電圧に基づいて算出される充電量と電流積算に基づく充電量との差が所定値以上となった場合に、開放電圧に基づいて算出される充電量に置き換える方法がある。しかし、かかる方法では、一次回帰演算して精度の高い特性直線を得るためには、電圧及び電流のサンプリングを多くする必要があるとともに、サンプリングした電圧及び電流にある程度のばらつきが必要となり、例えば、車両が一定の速度で走行する機会が多い場合には、精度良く開放電圧を求めることができず、充電量の補正を行うことができない。しかし、本実施の形態の電池監視装置１００によれば、一次回帰演算を得る必要がなく、二次電池ユニットの充放電の切替タイミング（正確には、充放電の切替後所定時間経過時点）で二次電池ユニットの充電量を補正することができる。
【０１２１】
また、比較例として、二次電池の端子電圧、電流、及び内部抵抗から開放電圧を算出し、当該開放電圧算出される充電量と電流積算に基づく充電量との差が所定値以上となった場合に、開放電圧に基づいて算出される充電量に置き換える方法がある。しかし、かかる方法では、開放電圧を算出する場合に、二次電池の分極の影響が考慮されていないため、精度良く開放電圧を求めることができず、充電量の補正を行うことができない。しかし、本実施の形態の電池監視装置１００によれば、電池等価回路モデルの中に分極の影響も含んでいるので、電池等価回路モデルを用いることにより、分極による誤差は生じない。
【０１２２】
上述の実施の形態では、二次電池をリチウムイオン電池として説明したが、二次電池はリチウムイオン電池に限定されるものではなく、例えば、ニッケル水素電池、ニッカド電池などにも提供することができる。
【０１２３】
開示された実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１２４】
１０  制御部
１１  電圧取得部
１２  電流取得部
１３  第１充電量算出部
１４  第２充電量算出部
１５  開放電圧算出部
１６  条件判定部
１７  切替判定部部
１８  充電量差算出部
１９  単位時間誤差量算出部
２０  単位容量誤差量算出部
２１  記憶部
２２  タイマ
５０  二次電池ユニット
５１  セル
５２  電圧センサ
５３  電流センサ
１００  電池監視装置
【図１】
0006672976.tif 000002
【図２】
0006672976.tif 000003
【図３】
0006672976.tif 000004
【図４】
0006672976.tif 000005
【図５】
0006672976.tif 000006
【図６】
0006672976.tif 000007
【図７】
0006672976.tif 000008
【図８】
0006672976.tif 000009
【図９】
0006672976.tif 000010
【図１０】
0006672976.tif 000011
【図１１】
0006672976.tif 000012
【図１２】
0006672976.tif 000013
【図１３】
0006672976.tif 000014
【図１４】
0006672976.tif 000015
【図１５】
0006672976.tif 000016
【図１６】
0006672976.tif 000017
【図１７】
0006672976.tif 000018